(57)【要約】【課題】  海水中で使用する装身具や器材等に特殊な表示を施し、鮫等の危険な海中生物が本能的に嫌忌するような効果を与えて身を守ることを可能にする手段を提供する。【解決手段】  ウエットスーツ１の胸部１１、背部１２、腕部１３、下肢の膝下部１４等に、猛毒を持つヒョウモンダコの興奮時の体表に現れる紋様に似た多数の青色のリング紋様Ｒ及び８の字紋様Ｅを表示する。【選択図】                図１
2005335552.tif 000002
【特許請求の範囲】
【請求項１】
海水中に浸される表面に、多数の青色のリング紋様又は／及び二つのリングが繋がった青色の８の字紋様が表示されてなる海中使用物品。
【請求項２】
リング紋様及び８の字紋様のリングの大きさが平均長径で３〜１００ｍｍの範囲にある請求項１記載の海中使用物品。
【請求項３】
リング紋様及び８の字紋様の青色が蛍光色である請求項１又は２に記載の海中使用物品。
【請求項４】
海水中に浸される表面が人体に装着する物品の表面である請求項１〜３のいずれかに記載の海中使用物品。
【発明の詳細な説明】
【技術分野】
【０００１】
本発明は、例えばウエットスーツ、水着、スキューバダイビング用のマスクやフィン、エアボンベ、スノーケル、サーフボード、ゴムボート、オール等の使用状態で海水中に浸される表面を有する海中使用物品に関する。
【背景技術】
【０００２】
近年、マリンスポーツ、マリンレジャーが盛んになり、世界各地の海へ出掛けてスキューバダイビングやゴムボートでの釣り等を楽しむ人が増加の一途を辿っているが、これに伴って鮫のような危険な海中生物に襲われる事故も増えている。一方、海中に潜って魚介類を採取したり、定置網の設置や点検を行う等の各種の職業的な海中作業、あるいは海中探査等の学術的な海中作業においても、常に鮫等に襲われる危険性が付きまとうことは言うまでもない。
【０００３】
しかるに、従来において、鮫等の危険な海中生物から身を守るには、常に周囲への注意を怠らず、このような海中生物が近くにいないかどうかを確認し、発見した場合に退避するか、身を隠してやり過ごす程度でしかなかった。
【発明の開示】
【発明が解決しようとする課題】
【０００４】
本発明は、上述の情況に鑑み、海水中で使用する装身具や器材等に特殊な表示を施し、これによって鮫等が本能的に嫌忌するような効果を与え、もって鮫等の危険な海中生物から身を守ることを可能にする手段を提供することを目的としている。
【課題を解決するための手段】
【０００５】
上記目的を達成するために、本発明は、海水中に浸される表面に、多数の青色のリング紋様又は／及び二つのリングが繋がった青色の８の字紋様が表示されてなる海中使用物品を要旨としている。
【０００６】
また、このような海中使用物品の好適態様として、リング紋様及び８の字紋様のリングの大きさが平均長径で３〜１００ｍｍの範囲にある請求項２の構成、リング紋様及び８の字紋様の青色が蛍光色である請求３の構成、海水中に浸される表面が人体に装着する物品の表面である請求項４の構成、をそれぞれ挙げることができる。
【発明の効果】
【０００７】
本発明の海中使用物品は、海水中に浸される物品表面に表示された紋様が猛毒を持つヒョウモンダコの興奮時の体表に現れる紋様に似ることから、鮫等が本能的に嫌忌するという効果が得られ、これを身近に存在することよって鮫等の危険な海中生物に襲われる危険性を排除ないしは減らすことができる。
【０００８】
すなわち、ヒョウモンダコは、成体で体長１０〜２０ｃｍ程度の小型の美しいタコであり、温帯から熱帯にわたる浅海域に広く分布しているが、フグ毒と同じテトロドトキシンを持つことが知られている。このテトロドキシンは神経毒であって青酸カリの５００倍もの強い毒性があり、ヒョウモンダコの場合は、口腔内の唾液線からテトロドキシンを分泌し、カニやエビ等の獲物を捉えた際に咬みついて毒液を獲物に注入して麻痺させるが、南半球では人が噛まれて死亡した例も複数報告されている。しかして、ヒョウモンダコの普段の体表は岩に擬態するように白から淡黄色の地に褐色の帯状模様があり、その模様の中に目立たない青い斑点が散在しているが、身の危険を感じたり興奮した際には、図３に示すように、脚（腕）部から頭部の体表にヒョウモン（豹紋）という名の由来になった鮮やかな青いリング状の多数の紋様Ｒが浮き出し、胴部にも同様の鮮やかな青で短いストライプ状の模様Ｓが浮き出す。なお、図中、斜線を施した部分が青色、点々を打った領域Ｚは褐色ないし茶褐色、他の模様のない部分は黄橙色ないし橙色である。また、図示のように、リング状の紋様Ｒは部位によって２つが繋がって８の字紋様Ｅになっている。
【０００９】
鮫を始めとする大型魚類や海棲哺乳類は、先天的に知っているのか後天的に学ぶのかは定かではないが、このような青い斑紋を現すタコが猛毒を持つことを認識しており、捕食しようとして近づいても、身の危険を感じたヒョウモンダコが体表に青い斑紋を浮き立たせると、襲うのを止めて忌避行動をとる。従って、ヒョウモンダコの青い斑紋は自らが猛毒を持つ存在であることを顕示して捕食者を忌避させる作用があり、これに似た紋様を物品表面に表示することより、鮫等の危険な海中生物は該物品をヒョウモンダコに類するものと知覚して本能的に嫌忌すると想定される。
【発明を実施するための最良の形態】
【００１０】
図１は本発明をウエットスーツに適用した第一実施形態、図２は同じく潜水用フィンに適用した第二実施形態を示す。
【００１１】
図１に示す第一実施形態のウエットスーツ１は、胸部１１、背部１２、腕部１３、下肢の膝下部１４がそれぞれ、黄色の地に、青色の多数のリング紋様Ｒと、このリング紋様Ｒの２つが繋がった状態である青色のいくつかの８の字紋様Ｅとを混じえた模様を表示したものになっている。なお、Ｄは通常のデザインとして肩部と下肢前面から背側へかけて帯状に走るストライプ模様である。
【００１２】
このようなウエットスーツ１では、胸部１１、背部１２、腕部１３、下肢の膝下部１４に表示したリング紋様Ｒ及び８の字紋様Ｅが、猛毒を持つヒョウモンダコの興奮時の体表に現れる紋様に似ることから、鮫等の危険な海中生物がヒョウモンダコに類するものと認識して本能的に嫌忌する。従って、海でのスキューバダイビング、素潜り、サーフィン、各種海中作業等を行う際、このウエットスーツ１を着用することにより、鮫等の危険な海中生物に襲われる危険性を排除ないしは減らすことができる。
【００１３】
図２に示す第二実施形態の潜水用フィン２は、全体がゴム又はプラスチック製であって、足挿入部２１とフィン部２２及び装着バンド２３より構成されている。そして、そのフィン部２２の表裏全面に、青色の多数のリング紋様Ｒと、このリング紋様Ｒの２つが繋がった状態である青色の少数の８の字紋様Ｅとを混じえた模様を表示している。
【００１４】
この潜水用フィン２においても、フィン部２２のリング紋様Ｒ及び８の字紋様Ｅが、猛毒を持つヒョウモンダコの興奮時の体表に現れる紋様に似るから、海中に潜る際にこれを装着すれば、鮫等の危険な海中生物はヒョウモンダコに類するものと認識して本能的に嫌忌することになり、もって鮫等に襲われる危険性を排除ないしは減らすことができる。
【００１５】
本発明は、上記第一実施形態のウエットスーツ１及び第二実施形態の潜水用フィン２に限らず、使用状態で海水中に浸される表面を有する様々な海中使用物品に適用でき、その海水中に浸される表面の一部領域又は全体に、青色のリング紋様Ｒと、その２つのリングが繋がった状態の青色の８の字紋様との一方の多数個を表示するか、もしくは両紋様Ｒ，Ｅが混在する状態で表示すればよい。
【００１６】
このような他の海中使用物品としては、例えば、水着、スキューバダイビング用のマスクやエアボンベ、スノーケル、手漕ぎボートとりわけゴムボート、サーフボード、オール、水中ランプや水中カメラを始めとする各種海中使用器材等が挙げられる。
【００１７】
しかして、第一及び第二実施形態のウエットスーツ及び潜水用フィンを含め、水着、スキューバダイビング用のマスクやエアボンベ、スノーケル等の人体に装着するものは、その表面に前記の青いリング紋様Ｒや８の字紋様Ｅを表示することによって、鮫等に対して装着者自体をヒョウモンダコに類するものと認識させることができるから、使用者の身を守る上で特に好適である。なお、これら紋様Ｒ，Ｅの表示は、前記ウエットスーツにおける腕部や脚部のように使用中に動きを生じる部位、ならびに潜水用フィンのように物品自体が使用中に動きを生じるものに設けることがより効果的である。一方、ゴムボートやサーフボードでは海水に浸る底面部、オールでは先端のフィン部に、それぞれ前記紋様Ｒ，Ｅを表示すればよい。
【００１８】
ここで、本発明で表示するリング紋様Ｒ及び８の字紋様Ｅの青色は、鮫等の危険な海中生物を嫌忌させる上で、できるだけヒョウモンダコの興奮時の紋様の色合いに近いことが望ましい。しかして、ヒョウモンダコの紋様は鮮やかで明るいコバルトブルーやネオンブルーと称されるから、明度及び彩度の高い青がよく、またヒョウモンダコの青い斑紋は海中で光るように視認されるから、蛍光色の青が最も好適である。更に、コスト的には不利であるが、発光ダイオード等を利用することにより、リング紋様Ｒや８の字紋様Ｅを常時あるいは必要時に青色に発光させる構成にすることも可能である。
【００１９】
リング紋様Ｒ及び８の字紋様Ｅの大きさは、あまりに小さ過ぎても、逆に大き過ぎても海中生物にヒョウモンダコに類するものと認識されなくなる懸念があるから、リング（８の字紋様Ｅではその一つのリング部）の平均長径として３〜１００ｍｍ程度の範囲がよい。ただし、表示する多数のリングは、サイズを均一とする必要はなく、大小のリングが混在する状態で差し支えない。また、リング形態も、完全な円環や楕円環である必要はなく、いびつな環状でよく、且つその形が不揃いであっても差し支えない。
【００２０】
リング紋様Ｒ及び８の字紋様Ｅの表示部分の背景色は、やはりヒョウモンダコの興奮時の地色に合わせ、黄色から橙色とするのがよい。また、リング紋様Ｒ及び８の字紋様Ｅの周囲に、ヒョウモンダコと同様な褐色ないし茶褐色の領域（図３の領域Ｚ参照）を設けてもよい。更に、リング紋様Ｒ及び８の字紋様Ｅと共に、ヒョウモンダコの胴部に現れる青色のストライプ状模様（図３の模様Ｓ参照）を混在させてもよい。
【図面の簡単な説明】
【００２１】
【図１】本発明の第一実施形態に係るウエットスーツの正面側及び背面側を示す外観図である。
【図２】本発明の第二実施形態に係る潜水用フィンの斜視図である。
【図３】ヒョウモンダコの外観図である。
【符号の説明】
【００２２】
１      ウエットスーツ（海中使用物品）
１１    胸部
１２    背部
１３    腕部
１４    下肢の膝下部
２      潜水用フィン（海中使用物品）
２２    フィン部
Ｒ      リング紋様
Ｅ      ８の字紋様
【図１】
2005335552.tif 000003
【図２】
2005335552.tif 000004
【図３】
2005335552.tif 000005